(57)【特許請求の範囲】
【請求項１】
大気中に飛散している塩分を捕獲可能である素材と、該素材が張られた枠体とを有する複数の飛散塩分捕獲体と、前記飛散塩分捕獲体を収容し、前記素材に導風する導風口が設けられた箱と、を備え、
前記複数の飛散塩分捕獲体は、前記素材が平面視にて交差するように上下に重ねて配されている飛散塩分捕獲装置。
【請求項２】
上下一対の前記飛散塩分捕獲体が、前記素材が平面視にて直交するように配されている請求項１に記載の飛散塩分捕獲装置。
【請求項３】
上下一対の前記飛散塩分捕獲体が、前記素材が平面視にて十字状に交差するように配されている請求項１又は２に記載の飛散塩分捕獲装置。
【請求項４】
前記箱が直方体状に形成され、前記素材が前記箱の互いに対向する２つの側面の間においてこれら側面に対向するように前記飛散塩分捕獲体が配されている請求項１から請求項３の何れか１項に記載の飛散塩分捕獲装置。
【請求項５】
前記導風口にはガラリが設けられている請求項１から請求項４の何れか１項に記載の飛散塩分捕獲装置。
【請求項６】
前記飛散塩分捕獲体には、方位を示す指標が記されている請求項１から請求項５までの何れか１項に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに付着した塩分の量を測定するというものである。また、特許文献１に記載の海塩粒子（気中塩分）の捕捉分析方法は、海塩粒子よりも目が細かいフィルタを通して大気を吸引することにより、海塩粒子をフィルタで捕捉するというものである。
【先行技術文献】
【特許文献】
【０００３】
【特許文献１】特開２０１０−１１２７１９号公報
【発明の概要】
【発明が解決しようとする課題】
【０００４】
特許文献１に記載の海塩粒子の捕捉分析方法では、風速に関わらず空気の吸引量が一定であることから、飛散塩分量を求めるためには風速を測定してその測定値に基づいて計算を行う必要がある。また、上記ドライガーゼ法では、ガーゼを百葉箱内に設置する場合には、面状に張られたガーゼを一方向に向けて設置していたため、特定方向から飛来する飛散塩分しか捕獲できない。従って、飛散塩分の捕獲量が少なくなることで飛散塩分量を正確に測定できない、飛来方向毎に飛散塩分量を測定できないといった課題があった。【０００５】
本発明は、上記事情に鑑みてなされたものであり、風速に応じた量の塩分を捕獲できると共に、様々な方向から飛来する飛散塩分を捕獲できる飛散塩分捕獲装置を提供することを課題とするものである。
【課題を解決するための手段】
【０００６】
本発明に係る飛散塩分捕獲装置は、大気中に飛散している塩分を捕獲可能である素材と、該素材が張られた枠体とを有する複数の飛散塩分捕獲体と、前記飛散塩分捕獲体を収容し、前記素材に導風する導風口が設けられた箱と、を備え、前記複数の飛散塩分捕獲体は、前記素材が平面視にて交差するように上下に重ねて配されている。
【０００７】
前記飛散塩分捕獲装置において、上下一対の前記飛散塩分捕獲体が、前記素材が平面視にて直交するように配されてもよい。
前記飛散塩分捕獲装置において、上下一対の前記飛散塩分捕獲体が、前記素材が平面視にて十字状に交差するように配されてもよい。
【０００８】
また、前記箱が直方体状に形成され、前記素材が前記箱の互いに対向する２つの側面の間においてこれら側面に対向するように前記飛散塩分捕獲体が配されてもよい。また、前記飛散塩分捕獲装置において、前記導風口にはガラリが設けられてもよい。また、前記飛散塩分捕獲体には、方位を示す指標が記されてもよい。
【発明の効果】
【０００９】
本発明によれば、風速に応じた量の塩分を捕獲できると共に、様々な方向から飛来する飛散塩分を捕獲できる。
【図面の簡単な説明】
【００１０】
【図１】一実施形態に係る飛散塩分捕獲装置を示す斜視図である。
【図２】一実施形態に係る飛散塩分捕獲装置を示す縦断面図（図３の２−２断面図）である。
【図３】図２の３−３断面図である。
【図４】一実施形態に係る飛散塩分捕獲装置の内部を示す斜視図である。
【図５】一実施形態に係る飛散塩分捕獲装置の作用を示す平断面図である。
【図６】一実施形態に係る飛散塩分捕捉装置の作用を示す縦断面図である。
【図７】ドライガーゼ法により捕獲できる飛散塩分量と本実施形態に係る飛散塩分捕獲装置により捕獲できる飛散塩分量との相関関係を示すグラフである。
【発明を実施するための形態】
【００１１】
以下、図面を参照しながら、本発明を実施するための形態を説明する。図１は、一実施形態に係る飛散塩分捕獲装置１０を示す斜視図である。また、図２は、飛散塩分捕獲装置１０を示す縦断面図（図３の２−２断面図）であり、図３は、図２の３−３断面図である。さらに、図４は、飛散塩分捕獲装置１０の内部を示す斜視図である。これらの図に示すように、飛散塩分捕獲装置１０は、百葉箱１と、百葉箱１内に設置された上下一対の飛散塩分捕獲体２０とを備えている。
【００１２】
百葉箱１は、直方体状の箱であり、四つの側面にガラリ２が設けられている。ガラリ２は、奥側へかけて上側に約４５°で傾斜する整流板が縦に並んだ構成である。また、百葉箱１の上面には、飛散塩分捕獲体２０を箱内に出し入れするための蓋３が設けられている。この蓋３の一辺がヒンジ８（図２参照）を介して百葉箱１の上端の一辺に取り付けられており、蓋３のヒンジ８とは反対側の一辺と百葉箱１の上端の一辺とが蝶番９で着脱可能に固定されている。
【００１３】
図２〜図４に示すように、飛散塩分捕獲体２０は、通気性を有し、飛散する塩分を捕獲可能である矩形状のガーゼ２２と、ガーゼ２２を保持する矩形状の枠体であるガーゼホルダー２４とを備えている。この飛散塩分捕獲体２０では、ガーゼ２２の周縁部がガーゼホルダー２４に取り付けられることで、ガーゼ２２がガーゼホルダー２４の内側に張られている。また、上下のガーゼ２２には、非導電性のインクにより方位が記されている。ここで、上側のガーゼ２２の一方の面と他方の面とにはそれぞれ、Ｅ、Ｗと記され、下側のガーゼ２２の一方の面と他方の面とにはそれぞれ、Ｓ、Ｎと記されている。
【００１４】
上下一対の飛散塩分捕獲体２０は、平面視にて互いに直交して十字状になるように上下に重ねて配されている。百葉箱１の下側には、下側の飛散塩分捕獲体２０を保持する下側保持部３０が設けられ、百葉箱１の上側には、上側の飛散塩分捕獲体２０を保持する上側保持部４０が設けられている。
【００１５】
下側保持部３０は、左右一対のレール３２と、左右のレール３２の下部に両端が結合された軸材３４とを備えている。レール３２は、平断面の形状がコ字状で鉛直方向に延びる部材であり、ガラリ２の横方向中央部において下端から上端まで延びるように形成された断面が矩形状の溝に嵌め込まれている。ここで、下側の飛散塩分捕獲体２０のガーゼホルダー２４は、左右端が左右のレール３２に嵌め込まれた状態で軸材３４の上に乗っており、下側の飛散塩分捕獲体２０のガーゼ２２は、一組の互いに対向するガラリ２から等距離の位置において、これらのガラリ２に対して平行に、百葉箱１の下側に保持されている。
【００１６】
上側保持部４０は、左右一対のレール４２を備えている。レール４２は、平断面の形状がコ字状で鉛直方向に延びる部材であり、ガラリ２の横方向中央部において高さ方向中央部から上端まで延びるように形成された断面が矩形状の溝に嵌め込まれている。ここで、左右のレール４２は、下側の左右のレール３２が取り付けられていない一組の互いに対向するガラリ２に取り付けられている。また、上側の飛散塩分捕獲体２０のガーゼホルダー２４は、左右端が左右のレール４２に嵌め込まれた状態で高さ方向中央部の整流板の上に乗っている。これにより、上側の飛散塩分捕獲体２０のガーゼ２２は、一組の互いに対向するガラリ２から等距離の位置において、これらのガラリ２に対して平行に、そして、下側の飛散塩分捕獲体２０のガーゼ２２とは９０°だけ異なる方位を向くように百葉箱１の上側に保持されている。
【００１７】
飛散塩分捕獲体２０を百葉箱１内に設置する際には、蓋３を開けて、まず、下側の飛散塩分捕獲体２０を、ガーゼホルダー２４の左右端を左右のレール３２に嵌め込んだ状態でガーゼホルダー２４の下端が軸材３４に当たるまで降下させる。次に、上側の飛散塩分捕獲体２０を、ガーゼホルダー２４の左右端を左右のレール４２に嵌め込んだ状態でガーゼホルダー２４の下端が高さ方向中央部の整流板に当たるまで降下させる。
【００１８】
一方、飛散塩分捕獲体２０を百葉箱１内から取り出す際には、蓋３を開けて、まず、上側の飛散塩分捕獲体２０を、ガーゼホルダー２４の左右端を左右のレール４２に嵌め込んだ状態で百葉箱１外まで上昇させる。次に、下側の飛散塩分捕獲体２０を、ガーゼホルダー２４の左右端を左右のレール３２に嵌め込んだ状態で百葉箱１外まで上昇させる。
【００１９】
図５は、飛散塩分捕獲装置１０の作用を示す平断面図である。この図に示すように、百葉箱１の四面にガラリ２が設けられているため、風向にかかわらず風が百葉箱１内を吹き抜ける。また、上側の飛散塩分捕獲体２０のガーゼ２２が一組の互いに対向するガラリ２に対して平行に配され、下側の飛散塩分捕獲体２０のガーゼ２２が、残りの一組の互いに対向するガラリ２に対して平行に配され、即ち、上下の飛散塩分捕獲体２０のガーゼ２２が、互いに９０°異なる方位を向くように配されているため、風向にかかわらず百葉箱１内を吹き抜ける風がガーゼ２２を通過する。これにより、風向に関わらずガーゼ２２には飛散塩分が付着する。また、風速に応じた量の飛散塩分がガーゼ２２に付着する。
【００２０】
図６は、飛散塩分捕獲装置１０の作用を示す縦断面図である。この図に示すように、百葉箱１の四面のガラリ２は、奥側へかけて上側に約４５°で傾斜する整流板が縦に並んだ構成であることから、百葉箱１内を風が吹き抜ける一方で、百葉箱１内への雨の降り込みが防止される。これにより、設置場所の屋根の有無にかかわらず、風速に応じた量の飛散塩分がガーゼ２２に付着すると共に、ガーゼ２２に付着した塩分が雨により洗い流されることが防止される。
【００２１】
ところで、ドライガーゼ法（JIS Z2382）により捕獲できる飛散塩分量と本実施形態に係る飛散塩分捕獲装置１０により捕獲できる飛散塩分量とを調べる実験を行ったところ、両者は、図７のグラフに示すように相関関係があることがわかった。ここで、飛散塩分量は、気中塩分がある断面積の範囲を通過する量であり、下記の式で表される。
・飛散塩分量＝気中塩分密度×風速
【００２２】
本実験では、ドライガーゼ法による飛散塩分の捕獲と、飛散塩分捕獲装置１０を用いての飛散塩分の捕獲とを同じ日時で１日間実施することを２０回行った。また、前者では、１０ｃｍ四方のガーゼを木枠に取り付けた塩分捕獲体２０を、２ｍ四方の屋根の下の中央に取り付け、後者では、同様の塩分捕獲体２０を用いた飛散塩分捕獲装置１０を、前者の塩分捕獲体２０の近傍に設置した。
【００２３】
以上説明したように、本実施形態に係る飛散塩分捕獲装置１０は、大気中に飛散している塩分を捕獲可能であるガーゼ２２と、ガーゼ２２が張られた枠体であるガーゼホルダー２４とを有する複数の飛散塩分捕獲体２０を備えており、複数の飛散塩分捕獲体１０は、ガーゼ２２が平面視にて交差するように上下に重ねて配されている。即ち、複数のガーゼ２２を異なる方位に向けて曝露することによって、風速に応じた量の飛散塩分を、その飛来方向にかかわらずガーゼ２２で捕獲できる。
【００２４】
特に、本実施形態では、上下一対の飛散塩分捕獲体２０が、ガーゼ２２が平面視にて直交するように配されている。これにより、一対のガーゼ２２により、風速に応じた量の飛散塩分を、その飛来方向にかかわらず捕獲できる。従って、装置の全高を抑えたうえで、様々な方向から飛来する塩分をガーゼ２２で捕獲できる。
【００２５】
また、飛散塩分捕獲体２０が、側面にガラリ２が設けられた百葉箱１内に設置されていることにより、ガーゼ２２に、設置場所の屋根の有無にかかわらず雨の影響を受けることがないように、風速に応じた量の塩分を付着させることができる。
【００２６】
さらに、飛散塩分捕獲体２０には、方位を示す指標が記されていることにより、各方位毎に飛散塩分量を測定することが可能になる。
【００２７】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、上下一対の飛散塩分捕獲体２０を、ガーゼ２２が平面視にて互いに直交するように上下に重ねて配したが、３個以上の飛散塩分捕獲体２０を、ガーゼ２２が平面視にて互いに９０°未満の角度で交差するように上下に重ねて配してもよい。
【符号の説明】
【００２８】
１  百葉箱、２  ガラリ、３  蓋、８  ヒンジ、９  蝶番、１０  飛散塩分捕獲装置、２０  飛散塩分捕獲体、２２  ガーゼ、２４  ガーゼホルダー、３０  下側保持部、３２  レール、３４  軸材、４０  上側保持部、４２  レール
【要約】
【課題】風速に応じた量の塩分を捕獲できると共に、様々な方向から飛来する飛散塩分を捕獲できる飛散塩分捕獲装置を提供する。
【解決手段】、大気中に飛散している塩分を捕獲可能であるガーゼ２２と、ガーゼ２２が張られた枠体であるガーゼホルダー２４とを有する複数の飛散塩分捕獲体２０を備えており、複数の飛散塩分捕獲体１０は、ガーゼ２２が平面視にて交差するように上下に重ねて配されている。【図１】
0005859711.tif 000002
【図２】
0005859711.tif 000003
【図３】
0005859711.tif 000004
【図４】
0005859711.tif 000005
【図５】
0005859711.tif 000006
【図６】
0005859711.tif 000007
【図７】
0005859711.tif 000008